(57)【要約】  【課題】  分岐部への保護材の装着後においても分岐部の柔軟性や分岐方向の自由度を確保できるワイヤハーネス分岐部の保護構造を提供する。  【解決手段】  可撓性を有する樹脂からなると共に軸線方向にスリット１４ａを有する長尺な円筒状のチューブを保護材１４として用い、このチューブ１４を展開状態で正方形となるように切断して底辺１４ｂより前後一対の三角形状が突出する状態で折り曲げ、底辺１４ｂを幹線１２の下面側に当接させると共に、前後の三角形の頂点部１４ｄ、１４ｅを支線１３の前後両面に当接させて支線１３にテープ巻きする。更に、底辺１４ｂの両端を幹線１２にテープ巻きして、保護材１４でワイヤハーネスの分岐部１１を囲むようにして分岐部の保護構造を形成する。  【選択図】  図１
2006254596.tif 000002
【特許請求の範囲】
【請求項１】
幹線から支線が分岐するワイヤハーネス分岐部の保護構造形成方法であって、
可撓性を有する樹脂からなると共に軸線方向にスリットを有する長尺な円筒状のチューブを保護材として用い、
前記チューブを展開状態で正方形となるように切断し、
前記チューブを底辺より前後一対の三角形状が突出する状態で折り曲げ、
前記底辺を前記幹線の下面側に当接させると共に、前後の三角形の頂点部を前記支線の前後両面に当接させ、
前記前後の頂点部を支線にテープ巻きし、前記底辺の両端を前記幹線にテープ巻きし、あるいは、前記前後の頂点部を支線にテープ巻きすると共に、底辺の一端を前記幹線にテープ巻きして、前記保護材でワイヤハーネスの分岐部を囲んでいることを特徴とするワイヤハーネス分岐部の保護構造の形成方法。
【請求項２】
請求項１に記載の方法で形成されたワイヤハーネス分岐部の保護構造。
【請求項３】
前記テープ巻きされていない三角形の斜辺部分より他の支線が延在されている請求項２に記載のワイヤハーネス分岐部の保護構造。
【発明の詳細な説明】
【技術分野】
【０００１】
本発明は、ワイヤハーネス分岐部の保護構造の形成方法およびワイヤハーネス分岐部の保護構造に関し、詳しくは分岐部の保護のために覆われる樹脂製の保護材を装着した状態においても分岐部の柔軟性を確保できるようにするものである。
【背景技術】
【０００２】
従来、ワイヤハーネスにおいてＴ字状に分岐する分岐部を、車体のバリ等から保護するものとしては、樹脂製のプロテクタを装着して保護するものと、柔軟性のある材質で保護するものとがある。特に分岐部を屈曲させて車体の所要箇所に取り付ける必要がある場合は、柔軟性のあるシートで保護するのが適している。そして、シートで保護するようにしたものとしては、実開昭５７−１０７２２５号公報（特許文献１）に記載の構造が知られている。これは図６（Ａ）に示すように、分岐部１の上下を軟質の樹脂シート２で挟み、この樹脂シート２を幹線Ｗａと支線Ｗｂによる内角部に沿って、ミシン糸３により縫合することで分岐部１を樹脂シート２で保護するようにしている。
【０００３】
一方、特開２００１−１３５１７３号公報（特許文献２）には、図６（Ｂ）に示すような分岐部結束用の専用のシート４で分岐部５を保護するようにしたものが記載されている。このシート４は分岐部５を挟んで二つ折りに重ねられると共に、支線Ｗｂの両側と幹線Ｗａとの間の内角部に、シート４の下面部の角部を内側に折り畳んで形成した折り返し部４ａを設け、シート４の上面部の角部は折り返し部４ａを挟み込むようにして下面部の裏側へ折り畳んで押さえ部４ｂとなし、この押さえ部４ｂの一部には粘着材が塗布された接着面４ｃを有している。そして、接着面４ｃによりシート４の上面部を下面部の裏側で接着することで分岐部５を包み込んだ状態で保護するようにしている。
【０００４】
【特許文献１】実開昭５７−１０７２２５号公報
【特許文献２】特開２００１−１３５１７３号公報
【発明の開示】
【発明が解決しようとする課題】
【０００５】
しかしながら、上記図６（Ａ）に記載のものは、分岐部１への樹脂シート２の装着に際し、Ｔ字状の分岐部１に沿ってミシン糸３での縫合作業を伴うため、作業に手間を要すると共に、分岐部１の分岐方向に沿って樹脂シート２が密着した状態となるため、分岐部１の柔軟性が失われて狭いスペースへのワイヤハーネスの配索作業が困難となる問題があった。また、分岐部１における分岐数が複数ある設定においては、ミシン糸３を用いる保護材の装着作業が更に困難なものとなる。
また、上記図６（Ｂ）に記載のものは、予め特定部位に粘着材が塗布された接着面４ｃを有する専用のシート４が必要となるため、コスト高になると共に、支線Ｗｂの両側と幹線Ｗａとの間の内角部にシート４を折り畳んで押さえ部４ｂで接着する構造となっているので、上記図６（Ａ）の場合と同様に分岐部５の柔軟性が失われてワイヤハーネスの配索作業性が低下するという問題があった。
【０００６】
本発明は上記した問題に鑑みてなされたもので、汎用の保護材料を用いることができると共に、分岐部への保護材の装着後においても分岐部の柔軟性や分岐方向の自由度を確保できるワイヤハーネス分岐部の保護構造および形成方法を提供することを課題としている。
【課題を解決するための手段】
【０００７】
上記課題を解決するため、本発明では、幹線から支線が分岐するワイヤハーネス分岐部の保護構造形成方法であって、
可撓性を有する樹脂からなると共に軸線方向にスリットを有する長尺な円筒状のチューブを保護材として用い、
前記チューブを展開状態で正方形となるように切断し、
前記チューブを底辺より前後一対の三角形状が突出する状態で折り曲げ、
前記底辺を前記幹線の下面側に当接させると共に、前後の三角形の頂点部を前記支線の前後両面に当接させ、
前記前後の頂点部を支線にテープ巻きし、前記底辺の両端を前記幹線にテープ巻きし、あるいは、前記前後の頂点部を支線にテープ巻きすると共に、底辺の一端を前記幹線にテープ巻きして、前記保護材でワイヤハーネスの分岐部を囲んでいることを特徴とするワイヤハーネス分岐部の保護構造の形成方法を提供している。
【０００８】
このようにすれば、汎用のスリットを有する円筒状チューブを用いて展開形状が正方形となる単純形状に切断するのみで分岐部の保護材を準備することができる。そして、このチューブを三角形状に二つ折りにした状態で分岐部を両面から包み込むように保護することができ、底辺の端部および前後の頂点部をそれぞれ幹線および支線にテープ巻きするのみの簡単な操作で分岐部にチューブを装着して保護することができる。
【０００９】
また、上記の方法で形成されたワイヤハーネス分岐部の保護構造にあっては、分岐部へのテープの装着状態において、幹線と支線の両側との間の内側部分はテープ巻きされていない開放された状態となるので、幹線に対し支線の柔軟性が失われることなくある程度自由に傾動させることができ、車両の狭いスペースへのワイヤハーネスの配索作業の作業性を向上させることができる。
【００１０】
また、上記保護構造において、前記テープ巻きされていない三角形の斜辺部分より他の支線が延在されるようにしてもよい。
このように構成すれば、幹線と支線の両側との間の内側部分における三角形の斜辺部分は開放された状態となっているので、更に支線の分岐が必要な場合においては、この開放された部分から任意の方向に支線を延在させることができる。よって、種々の分岐部の分岐形態に対しても専用の保護材を要することなく共通の保護材にて対応することができる。
【発明の効果】
【００１１】
以上の説明より明らかなように、本発明におけるワイヤハーネス分岐部の保護構造の形成方法およびワイヤハーネス分岐部の保護構造によれば、分岐部の形態に応じて専用の保護材を用いることなくスリット入りの円筒状樹脂チューブを用いることができるので、分岐部の保護構造のコスト低減を図ることができる。また、分岐部への保護材の装着も正方形に展開したチューブを三角形状に二つ折り状にして分岐部を挟み込んで各頂点部をワイヤハーネスにテープ巻きするのみで簡易かつ確実に装着することができる。更に、装着後の保護材は支線両側の三角形の斜辺部分が開放された状態となっているため、支線の傾動が可能となって柔軟性を発揮できるため、ワイヤハーネスの配索作業性を向上することができる。また、支線両側の三角形の開放された斜辺部分から他の支線を更に延在させることも可能であり、各種分岐形態にも対応させることができる。
【発明を実施するための最良の形態】
【００１２】
以下、本発明の実施形態を図面を参照して説明する。
図１乃至図４は、ワイヤハーネス分岐部の保護構造の第１実施形態を示し、分岐部１１としては、ワイヤハーネスを構成する幹線１２の途中から分岐する支線１３がＴ字状に分岐する部位を保護材１４の取付け対象とし、この保護材１４は３箇所でテープＴの巻き付けによって幹線１２と支線１３に固定するようにしている。保護材１４は、図２（Ａ）に示すように、一般に用いられる可撓性を有する樹脂材料からなると共に軸線方向にスリット１４ａを有する長尺な円筒状のチューブとしている。この保護材１４は、一方の対角線を底辺として三角形状に折り重ねたとき分岐部１１を覆うのに充分な面積を有する大きさとされると共に、図２（Ｂ）に示すように、展開形状が正方形となるように切断使用される。
【００１３】
分岐部１１を保護するために保護材１４を取付けるには、図３（Ａ）に示すように、先ず保護材１４の一方の対角線が底辺１４ｂとなるようにして前後一対の三角形状の被覆面１４ｃが突出する状態に折り曲げながら、図３（Ｂ）に示すように、幹線１２の下面側に底辺１４ｂを当接させる。次いで、上下の被覆面１４ｃの頂点部１４ｄを支線１３の前後両面に当接させる。これにより、分岐部１１は保護材１４の折り曲げられた２面の被覆面１４ｃによって幹線１２および支線１３の前後両面が挟持されると共に、幹線１２の両側外面および支線１３の前後両面に三角形の各頂点部１４ｄ、１４ｅ、１４ｆが配置された状態となる。
【００１４】
次いで、図３（Ｃ）に示すように、被覆面１４ｃにおける前後の頂点部１４ｄをテープＴによって支線１３に巻き付けると共に、底辺１４ｂの両端における頂点部１４ｅ、１４ｆを同様にテープＴによって幹線１２に巻き付けて固定する。これにより、保護材１４は幹線１２および支線１３に対し位置ずれすることなく分岐部１１を囲んだ状態で固定される（図１）。また、保護材１４は分岐部１１への固定状態において頂点部１４ｄと頂点部１４ｅとの間、頂点部１４ｄと頂点部１４ｆとの間の斜辺部分１６は上下の被覆面１４ｃの端縁が閉塞されておらず、よって開口部１５ａ、１５ｂを有する状態となっている。
【００１５】
上記形成方法によって構成された第１実施形態のワイヤハーネス分岐部の保護構造は、幹線１２と支線１３との間の内角部分には保護材１４の端部が閉塞されていない開口部１５ａ、１５ｂを有るので、支線１３は幹線１２に対しある程度の柔軟性を発揮して傾動できる状態とすることができる。このため、車体へのワイヤハーネスの配索時においては、狭い経路に沿ってワイヤハーネスを配索する場合、支線１３がこれに追従して傾動することで分岐部１１の引っ掛かりによる作業性の困難さを軽減することができる。
【００１６】
なお、上記実施形態においては、幹線１２に対する保護材１４の固定を底辺１４ｂの両端部における頂点部１４ｅ、１４ｆをテープＴによって巻き付け固定する例を示したが、図４に示すように、テープ止め箇所は両端に限らず、頂点部１４ｅ、１４ｆのいずれか一方のみとしてもよい。この場合においても、分岐部１１へ保護材１４を安定的に固定できると共に、幹線１２に対する分岐線１３の柔軟性を保持することができる。
【００１７】
図５は、第２実施形態を示し、分岐部２１として幹線２２と支線２３とからなるＴ字の３方向の分岐形状に加えて、幹線２２と支線２３との間に更に別の支線２３ａを分岐させた４方向の分岐形状を構成している。この場合においても、分岐部２１への保護材２４の形成方法は第１実施形態と同様の手順にて行い、各頂点部２４ｄ、２４ｅ、２４ｆをテープＴによって幹線２２および支線２３に巻き付け固定することで保護構造を形成することができる。このとき、追加された支線２３ａは頂点部２４ｄ、２４ｅ間における三角形の斜辺部分２６の開口部２５ａを通して外方へ延在させることにより任意の方向に取り出すことができる。
なお、その他の構成は第１実施形態と同様のため、同一符号を付してその説明を省略する。また、上記第２実施形態では、追加の支線２３ａを１方向追加した例を示したが、更に２本以上の支線を外方へ延在させることもできる。
【図面の簡単な説明】
【００１８】
【図１】（Ａ）は本発明におけるワイヤハーネス分岐部の保護構造の第１実施形態を示す図である。
【図２】（Ａ）は保護材の斜視図、（Ｂ）は保護材の展開図である。
【図３】（Ａ）〜（Ｃ）は第１実施形態におけるワイヤハーネス分岐部の保護構造の形成工程を示す図である。
【図４】第１実施形態の変形例を示す図である。
【図５】第２実施形態のワイヤハーネス分岐部の保護構造を示す図である。
【図６】（Ａ）〜（Ｃ）は従来例を示す図である。
【符号の説明】
【００１９】
１１、２１  分岐部
１２、２２  幹線
１３、２３、２３ａ  支線
１４、２４  保護材
１４ａ  スリット
１４ｂ  底辺
１４ｄ、１４ｅ、１４ｆ、２４ｄ、２４ｅ、２４ｆ  頂点部
１６、２６  斜辺部分
【図１】
2006254596.tif 000003
【図２】
2006254596.tif 000004
【図３】
2006254596.tif 000005
【図４】
2006254596.tif 000006
【図５】
2006254596.tif 000007
【図６】
2006254596.tif 000008